(57)【要約】【課題】遮光効果があるばかりか、美的外観を損ねるという事態を低減させ、しかも、使い勝手が良く、さらには、防炎性能を向上させると共に、遮熱性を有する防炎遮光布の製造方法を提供することを目的としている。【解決手段】防炎遮光布の製造方法は、アルミ層１２が形成された樹脂フィルム１０のアルミ層１２面に接着及び防炎機能を有する第１防炎接着層１３を成膜し、該第１防炎接着層１３面に布地１４を貼着し、その後前記樹脂フィルム１０をアルミ層１２から剥離することで防炎遮光布本体を形成し、さらに、このように形成された防炎遮光布本体同士を貼着するにあたって、一方の防炎遮光布本体のアルミ層１２面に接着及び防炎機能を有する第２防炎接着層を成膜し、該第２防炎接着層面に、他方の防炎遮光布本体の布地１４を貼着することで防炎遮光布本体同士を貼着してなる。【選択図】図１
2013226766.tif 000002
【特許請求の範囲】
【請求項１】
アルミ層が形成された基材のアルミ層面に接着及び防炎機能を有する第１防炎接着層を成膜し、該第１防炎接着層面に布地を貼着し、その後前記基材をアルミ層から剥離することで防炎遮光布本体を形成し、さらに、このように形成された防炎遮光布本体同士を貼着するにあたって、一方の防炎遮光布本体のアルミ層面に接着及び防炎機能を有する第２防炎接着層を成膜し、該第２防炎接着層面に、他方の防炎遮光布本体の布地を貼着することで防炎遮光布本体同士を貼着するか、または、一方の防炎遮光布本体の布地面に接着及び防炎機能を有する第２防炎接着層を成膜し、該第２防炎接着層面に、他方の防炎遮光布本体の布地を貼着してなることを特徴とする防炎遮光布の製造方法。
【請求項２】
アルミ層が形成された第１基材のアルミ層面に接着及び防炎機能を有する第１防炎接着層を成膜し、該第１防炎接着層面に布地を貼着し、その後前記第１基材をアルミ層から剥離することで防炎遮光布本体を形成し、さらに、このように形成された防炎遮光布本体同士を貼着するにあたって、一方の防炎遮光布本体のアルミ層面に接着及び防炎機能を有する第２防炎接着層を成膜し、該第２防炎接着層面に、他方の防炎遮光布本体のアルミ層を貼着することで防炎遮光布本体同士を貼着し、そして、該貼着された防炎遮光布本体同士の少なくとも一方の布地面に、接着及び防炎機能を有する第３防炎接着層を介して、アルミ層が形成された第２基材のアルミ層面を貼着し、その後前記第２基材をアルミ層から剥離してなることを特徴とする防炎遮光布の製造方法。
【発明の詳細な説明】
【技術分野】
【０００１】
本発明は、広告幕、幟、展示装飾用、カーテン、あるいは、テント等に用いられる防炎遮光布の製造方法に関する。
【背景技術】
【０００２】
従来の防炎遮光布として図５に示すものが知られている。この図５に示す防炎遮光布１００は、図５（ｂ）に示すように、黒色の遮光膜１０１の上下面に白色の上下フィルム１０２ａ，１０２ｂを夫々貼着し、そして、その上下フィルム１０２ａ，１０２ｂの面、夫々に、ポリエステル生地等からなる上下布地１０３ａ，１０３ｂを貼着してなることで構成されている。そして、図５（ａ）に示すように、上布地１０３ａには、昇華染料等を用いて加飾ＰＲ１が施され、下布地１０３ｂにも、昇華染料等を用いて加飾ＰＲ２が施されている。なお、黒色の遮光膜１０１の上下面に白色の上下フィルム１０２ａ，１０２ｂを貼着するのは、当該黒色が外側から見えないようにするためである。
【０００３】
そして、このように形成された防炎遮光布１００は、防炎機能を付与するため、防炎剤を浸漬するか、又は、製織前の原糸そのものに防炎剤を練り込むなどして繊維そのものの内部に防炎剤を担持させている。
【発明の概要】
【発明が解決しようとする課題】
【０００４】
しかしながら、上記のような防炎遮光布１００は、内部に遮光膜１０１が設けられているため、ある程度の遮光効果はあるものの、下布地１０３ｂに施された加飾ＰＲ２の染料や顔料等が上布地１０３ａに染み込んで、当該加飾ＰＲ２が上布地１０３ａに薄ら現われてきてしまい美的外観を損ねてしまうという問題があった。また、当該防炎遮光布１００は、遮光効果を向上させるあまり、分厚くなり、それがために、非常に重くなり使い勝手が悪いという問題があった。
【０００５】
さらには、防炎機能を付与する際、布地に防炎剤を浸漬するか、製織前の原糸そのものに防炎剤を練り込むなどして繊維そのものの内部に防炎剤を担持させるしか方法がないため、使用できる防炎剤の量に自ずと制限があった。それゆえ、防炎性能が非常に低いという問題があった。
【０００６】
そこで本発明は、上記問題に鑑み、遮光効果があるばかりか、美的外観を損ねるという事態を低減させ、しかも、使い勝手が良く、さらには、防炎性能を向上させると共に、遮熱性を有する防炎遮光布の製造方法を提供することを目的としている。
【課題を解決するための手段】
【０００７】
上記課題を解決するための手段は、以下の手段によって達成される。なお、括弧内は、後述する実施形態の参照符号を付したものであるが、本発明はこれに限定されるものではない。
【０００８】
請求項１に係る防炎遮光布の製造方法は、アルミ層（１２）が形成された基材（樹脂フィルム１０）のアルミ層（１２）面に接着及び防炎機能を有する第１防炎接着層（１３）を成膜し、該第１防炎接着層（１３）面に布地（１４）を貼着し、その後前記基材（樹脂フィルム１０）をアルミ層（１２）から剥離することで防炎遮光布本体（１Ａ）を形成し、さらに、このように形成された防炎遮光布本体（１Ａ）同士を貼着するにあたって、一方の防炎遮光布本体（１Ａ）のアルミ層（１２）面に接着及び防炎機能を有する第２防炎接着層（２０）を成膜し、該第２防炎接着層（２０）面に、他方の防炎遮光布本体（１Ａ）の布地（１４）を貼着することで防炎遮光布本体（１Ａ）同士を貼着するか、または、一方の防炎遮光布本体（１Ａ）の布地（１４）面に接着及び防炎機能を有する第２防炎接着層（２０）を成膜し、該第２防炎接着層（２０）面に、他方の防炎遮光布本体（１Ａ）の布地（１４）を貼着してなることを特徴としている。
【０００９】
一方、請求項２に係る防炎遮光布の製造方法は、アルミ層（１２）が形成された第１基材（樹脂フィルム１０）のアルミ層（１２）面に接着及び防炎機能を有する第１防炎接着層（１３）を成膜し、該第１防炎接着層（１３）面に布地（１４）を貼着し、その後前記第１基材（樹脂フィルム１０）をアルミ層（１２）から剥離することで防炎遮光布本体（１Ａ）を形成し、さらに、このように形成された防炎遮光布本体（１Ａ）同士を貼着するにあたって、一方の防炎遮光布本体（１Ａ）のアルミ層（１２）面に接着及び防炎機能を有する第２防炎接着層（２０）を成膜し、該第２防炎接着層（２０）面に、他方の防炎遮光布本体（１Ａ）のアルミ層（１２）を貼着することで防炎遮光布本体（１Ａ）同士を貼着し、そして、該貼着された防炎遮光布本体（１Ａ）同士の少なくとも一方の布地（１４）面に、接着及び防炎機能を有する第３防炎接着層（５０）を介して、アルミ層（６３）が形成された第２基材（樹脂フィルム６１）のアルミ層（６３）面を貼着し、その後前記第２基材（樹脂フィルム６１）をアルミ層（６３）から剥離してなることを特徴としている。
【発明の効果】
【００１０】
次に、本発明の効果について、図面の参照符号を付して説明する。請求項１の発明によれば、アルミ層（１２）が形成された防炎遮光布本体（１Ａ）同士を貼着しているため、各アルミ層（１２）が光を反射することとなり、当該防炎遮光布（１）を光にかざしてみても、一方の面（防炎遮光布１の上面又は下面）に昇華染料等を用いて施された加飾が、他方の面（防炎遮光布１の下面又は上面）に写り込むという事態を防止することができる。それゆえ、遮光効果を有することとなる。
【００１１】
また、一方の面（防炎遮光布１の上面又は下面）に昇華染料等を用いて施された加飾の染料や顔料等が他方の面（防炎遮光布１の下面又は上面）に染み込んでしまうという事態を、各アルミ層（１２）が防止するため、美的外観を損ねるという事態を低減させることができる。
【００１２】
さらには、布地（１４）にアルミ層（１２）が形成された防炎遮光布本体（１Ａ）同士を貼着しているだけであるため、防炎遮光布（１）の厚みが薄くなり、非常に軽量となるため使い勝手が良くなる。
【００１３】
そして、布地（１４）にアルミ層（１２）を転写した防炎遮光布本体（１Ａ）同士を貼着することにより、互いのアルミ層（１２）に僅かに存在する互いの皮膜のピンホールを防ぐことができるため、遮光効果がさらに向上するという利点がある。
【００１４】
一方、防炎遮光布（１）を形成するにあたって、少なくとも一方の面にアルミ層（１２）が形成されるようにしているから、当該アルミ層（１２）が紫外線等を反射することとなり、遮熱性が向上するという利点がある。
【００１５】
さらには、布地（１４）にアルミ層（１２）を形成するにあたって、第１防炎接着層（１３）を介して貼着し、そして、防炎遮光布本体（１Ａ）同士を貼着するにあたって、第２防炎接着層（２０）を介して貼着しているため、防炎性能が非常に高い防炎遮光布を形成することができる。
【００１６】
一方、請求項２の発明によれば、布地（１４）が上下面にくるように、防炎遮光布本体（１Ａ）同士を貼着し、さらに、その布地（１４）の少なくとも一方の面にアルミ層（６３）を形成しているだけであるから、請求項１と同様の効果を奏する。
【図面の簡単な説明】
【００１７】
【図１】（ａ）〜（ｅ）は、本発明の第１実施形態に係る防炎遮光布本体の製造工程を示す断面図である。
【図２】（ａ）〜（ｃ）は、同実施形態に係る防炎遮光布の製造工程を示す断面図である。
【図３】（ａ）〜（ｃ）は、本発明の第２実施形態に係る防炎遮光布中間体の製造工程を示す断面図である。
【図４】（ａ）〜（ｃ）は、同実施形態に係る防炎遮光布の製造工程を示す断面図である。
【図５】（ａ）は従来の遮光布の一部を示す正面図、（ｂ）は（ａ）に示す遮光布の断面図である。
【発明を実施するための形態】
【００１８】
＜第１実施形態＞
以下、本発明に係る防炎遮光布の製造方法の第１実施形態を、図１及び図２を参照して具体的に説明する。本実施形態に係る防炎遮光布１は、図２（ｃ）に示すように、防炎遮光布本体１Ａ同士を貼着することで形成されてなるものである。
【００１９】
そこでまず、この防炎遮光布本体１Ａの製造方法を具体的に説明する。図１（ａ）に示すように、まず、ポリエチレンテレフタラート等で形成される樹脂フィルム１０の上面にワックス類、フッ素、シリコン等による離型剤が塗布され、剥離層１１が形成される。そして、図１（ｂ）に示すように、その剥離層１１の上面にアルミが蒸着されアルミ層１２が形成される。これにより、転写箔３０が形成される。
【００２０】
次いで、図１（ｃ）に示すように、その転写箔３０のアルミ層１２の上面にグラビアコータ等によって、接着及び防炎機能を有する第１防炎接着層１３が成膜される。この第１防炎接着層１３は、ポリアミド系、ウレタン系、アクリル系等の接着剤にリン酸エステル等の防炎剤を混練することで構成されるか、又は、当該接着剤及び防炎剤が層状になって構成されてなるものである。なお、本実施形態において例示したように、第１防炎接着層１３を構成するにあたっては、接着剤及び防炎剤を混練させても良いし、層状にしても良いが、混練した方が、防炎性能が向上するため好ましい。
【００２１】
次いで、このような第１防炎接着層１３の上面に、図１（ｄ）に示すように、ポリエステル生地等からなる布地１４を載置し、この状態で、矢印Ｓ１方向に移動させて、クロムメッキ等の金属ロール又はブチルゴム等のゴムロールからなる上下ロール１５ａ，１５ｂ間を通過させて、矢印Ｓ２及び矢印Ｓ３に示すように上下方向に押圧し、布地１４の表面を平坦化させながら、当該布地１４を第１防炎接着層１３に貼着する。これにより、布地１４に多量の防炎剤を付与することができ、それがために、防炎性能が向上するという利点がある。
【００２２】
続いて、このように布地１４を第１防炎接着層１３面に貼着した後、図１（ｅ）に示すように、転写箔３０の樹脂フィルム１０を剥離層１１と共に、アルミ層１２から剥離することで、布地１４にアルミ層１２を転写する。これにより、図２（ａ）に示すような、防炎遮光布本体１Ａが形成されることとなる。なお、本実施形態においては、樹脂フィルム１０に剥離層１１を形成したが、これは、樹脂フィルム１０をアルミ層１２から容易に剥離するために形成したものであり、必要なければ形成しなくとも良い。また、本実施形態おいては、樹脂フィルム１０を用いた例を示したが、これに限らず、アルミ層１２から剥離可能なものであればどのようなものを用いても良い。
【００２３】
一方、本実施形態においては、布地１４にアルミ層１２を転写しているため、布地に直接アルミを蒸着又はスパッタリングするものに比べ、遮光効果の高い皮膜面を得ることができる。これは、転写によって、布地１４の全面にわたってアルミの膜を形成することができるためである。また、上下ロール１５ａ，１５ｂ間を通過させて、矢印Ｓ２及び矢印Ｓ３に示すように上下方向に押圧しているため、アルミ層１２の表面粗さを自在に調整することができる。それゆえ、アルミ層１２の光沢を調整することができる。
【００２４】
さらに、本実施形態によれば、布地１４にアルミ層１２を転写することにより、アルミ層１２に防炎剤が付与されるため、アルミ層１２が防炎剤の機能を補助し、これにより防炎性能が向上することとなる。すなわち、アルミ層１２を設けることにより、アルミ層１２が輻射熱を反射し、熱伝導を低減するため、燃焼した布地１４の持続的な燃焼サイクルを阻害することとなる。また、当該アルミ層１２が芯材となることで防炎剤による断熱層の形成を助けるため、延焼を防ぐことができる。そのため、アルミ層１２が防炎剤の機能を補助し、これにより防炎性能が向上することとなる。特に、布地１４に皮膜性の高いインクを利用し加飾を施した場合に効果を発揮する。すなわち、布地１４に皮膜性の高いインクを利用し加飾を施すと、そのインクによって形成された皮膜が防炎剤の防炎性能を阻害することとなる（防炎のメカニズムは、溶融点を下げて燃焼ガスが発生する温度に至る前に布地１４の一部が溶け落ちて延焼を防止するというものであるが、そのインクによって形成された皮膜が当該溶け落ちを阻害することとなる）が、上記のようにアルミ層１２を設けることにより、当該アルミ層１２が芯材となることで防炎剤による断熱層の形成を助けることとなるため、そのような阻害を防止することができる。
【００２５】
かくして、上記のように構成された防炎遮光布本体１Ａ（図２（ａ）参照）は、当該防炎遮光布本体１Ａ同士を貼着するにあたって、図２（ｂ）に示すように、一方の防炎遮光布本体１Ａのアルミ層１２面に第２防炎接着層２０を成膜し、その第２防炎接着層２０に他方の防炎遮光布本体１Ａの布地１４面を貼着することにより、図２（ｃ）に示すように防炎遮光布１を形成する。なお、この第２防炎接着層２０は、ポリアミド系、ウレタン系、アクリル系等の接着剤にリン酸エステル等の防炎剤を混練することで構成されるか、又は、当該接着剤及び防炎剤が層状になって構成されてなるものである。これにより、多量の防炎剤を防炎遮光布本体１Ａ同士で保護することとなる。それゆえ、洗濯後の防炎性能の低下を低減させることができる。なお、本実施形態においては、一方の防炎遮光布本体１Ａのアルミ層１２面に第２防炎接着層２０を成膜し、その第２防炎接着層２０に他方の防炎遮光布本体１Ａの布地１４面を貼着することにより、防炎遮光布１を形成する例を示したが、一方の防炎遮光布本体１Ａの布地１４面に第２防炎接着層２０を成膜し、その第２防炎接着層２０に他方の防炎遮光布本体１Ａの布地１４面を貼着することにより、防炎遮光布１を形成しても良い。
【００２６】
しかして、以上説明した本実施形態によれば、アルミ層１２が形成された防炎遮光布本体１Ａ同士を貼着することで、各アルミ層１２が光を反射するため、当該防炎遮光布１を光にかざしてみても、一方の面（防炎遮光布１の上面又は下面）に昇華染料等を用いて施された加飾が、他方の面（防炎遮光布１の下面又は上面）に写り込むという事態を防止することができる。それゆえ、本実施形態によれば、遮光効果を有することとなる。
【００２７】
また、一方の面（防炎遮光布１の上面又は下面）に昇華染料等を用いて施された加飾の染料や顔料等が他方の面（防炎遮光布１の下面又は上面）に染み込んでしまうという事態を、各アルミ層１２が防止するため、美的外観を損ねるという事態を低減させることができる。
【００２８】
さらには、布地１４にアルミ層１２が形成された防炎遮光布本体１Ａ同士を貼着しているだけであるため、防炎遮光布１の厚みが薄くなり、非常に軽量となるため使い勝手が良くなる。
【００２９】
そして、布地１４にアルミ層１２を転写した防炎遮光布本体１Ａ同士を貼着することにより、互いのアルミ層１２に僅かに存在する互いの皮膜のピンホールを防ぐことができるため、遮光効果がさらに向上するという利点がある。
【００３０】
一方、防炎遮光布１を形成するにあたって、少なくとも一方の面にアルミ層１２を形成しているから、当該アルミ層１２が紫外線等を反射することとなるため、遮熱性が向上するという利点がある。
【００３１】
さらには、布地１４にアルミ層１２を形成するにあたって、第１防炎接着層１３を介して貼着し、そして、防炎遮光布本体１Ａ同士を貼着するにあたって、第２防炎接着層２０を介して貼着しているため、防炎性能が非常に高い防炎遮光布を形成することができる。
【００３２】
＜第２実施形態＞
次に、本発明に係る防炎遮光布の製造方法の第２実施形態を、図３及び図４を参照して具体的に説明する。なお、第１実施形態と同一構成については、同一の符号を付し、説明は省略する。本実施形態に係る防炎遮光布７０は、防炎遮光布本体１Ａ同士を貼着し、さらに、アルミを転写したものである。
【００３３】
より詳しく説明すると、まず、上記第１実施形態と同様に形成した防炎遮光布本体１Ａ（図３（ａ）参照）同士を貼着し、図３（ｃ）に示す、防炎遮光布中間体４０を形成する。すなわち、図３（ｂ）に示すように、一方の防炎遮光布本体１Ａのアルミ層１２面に第２防炎接着層２０を成膜し、その第２防炎接着層２０に他方の防炎遮光布本体１Ａのアルミ層１２面を貼着することにより、図３（ｃ）に示すように防炎遮光布中間体４０を形成する。
【００３４】
次いで、図４（ａ）に示すように、グラビアコータ等によって、接着及び防炎機能を有する第３防炎接着層５０が成膜された転写箔６０を形成する。この第３防炎接着層５０は、ポリアミド系、ウレタン系、アクリル系等の接着剤にリン酸エステル等の防炎剤を混練することで構成されるか、又は、当該接着剤及び防炎剤が層状になって構成されてなるものである。また、この転写箔６０は、ポリエチレンテレフタラート等で形成される樹脂フィルム６１の上面にワックス類、フッ素、シリコン等による離型剤が塗布されて剥離層６２が形成され、その剥離層６２の上面にアルミが蒸着されアルミ層６３が形成されたものである。
【００３５】
次いで、このように形成された転写箔６０に成膜された第３防炎接着層５０の上面に、図４（ｂ）に示すように、図３（ｃ）に示す防炎遮光布中間体４０の一方の布地１４を載置し、この状態で、矢印Ｓ１０方向に移動させて、上下ロール１５ａ，１５ｂ間を通過させ、矢印Ｓ１１及び矢印Ｓ１２に示すように上下方向に押圧することで、当該布地１４を第３防炎接着層５０に貼着する。
【００３６】
そして続いて、図４（ｃ）に示すように、転写箔６０の樹脂フィルム６１を剥離層６２と共に、アルミ層６３から剥離することで、布地１４にアルミ層６３を転写する。これにより、防炎遮光布７０が形成されることとなる。
【００３７】
しかして、本実施形態と第１実施形態との相違は、防炎遮光布本体１Ａ同士を貼着したものに、さらに、アルミを転写しただけのものであるため、第１実施形態と同様の効果を奏する。
【００３８】
なお、本実施形態においては、防炎遮光布中間体４０の一方の布地面にアルミを転写する例を示したが、勿論、他方の布地面、又は、両面にアルミを転写しても良い。
【００３９】
また、本実施形態においては、樹脂フィルム６１に剥離層６２を形成したが、これは、樹脂フィルム６１をアルミ層６３から容易に剥離するために形成したものであるため、必要なければ形成しなくとも良い。さらに、本実施形態おいては、樹脂フィルム６１を用いた例を示したが、これに限らず、アルミ層６３から剥離可能なものであればどのようなものを用いても良い。
【符号の説明】
【００４０】
１，７０      防炎遮光布
１Ａ          防炎遮光布本体
１０          樹脂フィルム（基材，第１基材）
１２          アルミ層
１３          第１防炎接着層
１４          布地
２０          第２防炎接着層
４０          防炎遮光布中間体
５０          第３防炎接着層
６１          樹脂フィルム（第２基材）
６３          アルミ層
【図１】
2013226766.tif 000003
【図２】
2013226766.tif 000004
【図３】
2013226766.tif 000005
【図４】
2013226766.tif 000006
【図５】
2013226766.tif 000007